(57)【特許請求の範囲】
【請求項１】
折上げ天井部と、その周囲から下方へ折曲連設された筒状の折上げ部と、その下辺から内側へ折曲連設された枠状の目隠し部とを備え、前記折上げ天井部は、木軸の両面に素地の合板を貼着してなる中央パネルと、その周囲に、前記中央パネルの下面との間に段差を形成する状態に連結された側方パネルとで構成され、前記側方パネルは、木軸の下面に化粧合板を貼着し、且つ、中央パネル側の端面に化粧仕上げを施して構成され、前記折上げ部は、木軸の片面に化粧合板を貼着してなる折上げ部パネルを前記化粧合板が開口内面側に位置するように連結することによって構成され、前記目隠し部は、木軸の上面に化粧合板を、下面には素地の合板を夫々貼着し、開口内面側の端面に素地の立ち上がり縁材を、その下面が前記合板の下面と面一になるように連設してなる目隠しパネルを連結することによって構成され、前記折上げ天井部には、前記中央パネルの下面に仕上げクロスが貼着され、前記目隠し部には、前記合板の下面に仕上げクロスが前記立ち上がり縁材を少なくとも上面まで被覆する状態に貼着されていることを特徴とする折上げ天井。
【請求項２】
方形の折上げ天井部と、その周囲四辺から下方へ折曲連設された方形筒状の折上げ部と、その下辺から内側へ折曲連設された方形枠状の目隠し部とを備え、前記折上げ天井部は、木軸の両面に素地の合板を貼着してなる中央パネルと、その周囲四辺に、前記中央パネルの下面との間に段差を形成する状態に連結された側方パネルとで構成され、前記側方パネルは、木軸の下面に化粧合板を貼着し、且つ、中央パネル側の端面に化粧仕上げを施して構成され、前記折上げ部は、木軸の片面に化粧合板を貼着してなる折上げ部パネルを前記化粧合板が開口内面側に位置するように方形に連結することによって構成され、前記目隠し部は、木軸の上面に化粧合板を、下面には素地の合板を夫々貼着し、開口内面側の端面に素地の立ち上がり縁材を、その下面が前記合板の下面と面一になるように連設してなる目隠しパネルを方形に連結することによって構成され、前記折上げ天井部には、前記中央パネルの下面に仕上げクロスが貼着され、前記目隠し部には、前記合板の下面に仕上げクロスが前記立ち上がり縁材を少なくとも上面まで被覆する状態に貼着されていることを特徴とする折上げ天井。
【請求項３】
方形の折上げ天井部と、その周囲四辺から下方へ折曲連設された方形筒状の折上げ部と、その下辺から内側へ折曲連設された方形枠状の目隠し部とを備え、前記折上げ天井部は、木軸の両面に素地の合板を貼着してなる中央パネルと、その周囲四辺に、前記中央パネルの下面との間に段差を形成する状態に連結された４枚の側方パネルとで構成され、前記側方パネルは、木軸の下面に化粧合板を貼着し、且つ、中央パネル側の端面に化粧仕上げを施して構成され、前記折上げ部は、木軸の片面に化粧合板を貼着してなる４枚の折上げ部パネルを前記化粧合板が開口内面側に位置するように方形に連結することによって構成され、前記目隠し部は、木軸の上面に化粧合板を、下面には素地の合板を夫々貼着し、開口内面側の端面に素地の立ち上がり縁材を、その下面が前記合板の下面と面一になるように連設してなる４枚の目隠しパネルを方形に連結することによって構成されている折上げ天井ユニットを予め低位置で組み立て、当該折上げ天井ユニットを所定高さまで揚上して、建物のスラブ下面に吊りボルトを介して固定し、しかる後、折上げ天井ユニット周囲の天井板を施工し、前記折上げ天井部には、前記中央パネルの下面に仕上げクロスを貼着する一方、前記天井板の下面と前記目隠し部の前記合板の下面とにわたって仕上げクロスを前記立ち上がり縁材が少なくとも上面まで被覆される状態に貼着することを特徴とする折上げ天井の施工方法。
【発明の詳細な説明】
【０００１】
【発明の属する技術分野】
本発明は、折上げ天井とその施工方法に関する。
【０００２】
【従来の技術】
建物の室内天井の一部を、目隠し部の上部に間接照明用の照明器具が設置された間接照明付きの折上げ天井とすることは、空間の雰囲気を演出する上で非常に効果的であるところから、例えば集合住宅のリビングルームや玄関ホールなどの天井に用いられることが多い。
【０００３】
しかしながら、このような間接照明付きの折上げ天井は、天井高さの一定した通常の天井に比べると、天井木軸構造が複雑化するため、施工しにくいという問題点がある。そのため、近年では、折上げ天井の部分だけをユニット化し、この折上げ天井ユニットを予め低位置で組み立てておき、当該折上げ天井ユニットを所定高さまで揚上して、建物のスラブ下面に吊り上げ支持させるようにした種々の施工方法が提案されているが、いずれの施工方法においても、間接照明付きの折上げ天井をクロス貼り仕上げとする場合、次のような問題が生じていた。
【０００４】
即ち、仕上げクロスの貼着作業は、一般に、大工職による天井の造作後、別の専門職によって行われる。従って、間接照明付きの折上げ天井では、たとえ折上げ天井の部分だけをユニット化した場合であっても、仕上げクロスの貼着時には、開口内面側に突出している目隠し部が障害物となって、目隠し部の奥に入り込んだ折上げ天井部の下面外周部や目隠し部の上面、折上げ部の内面に対する仕上げクロスの貼着作業が非常に面倒であり、施工性が悪く、コスト高となる。また、クロス貼り作業を無くす為に、各ユニット部材にあらかじめ化粧を施すことも考えられるが、継目を隠すことができないので、採用できない。
【０００５】
【発明が解決しようとする課題】
上記の現状に鑑み、本発明は、目隠し部の存在にもかかわらず、仕上げクロスの貼着作業を容易に行えるようにした折上げ天井と、その施工方法を提供するものである。
【０００６】
【課題を解決するための手段】
上記の課題を解決するために、本発明が講じた技術手段は、次のとおりである。即ち、請求項１の発明に係る折上げ天井は、折上げ天井部と、その周囲から下方へ折曲連設された筒状の折上げ部と、その下辺から内側へ折曲連設された枠状の目隠し部とを備え、前記折上げ天井部は、木軸の両面に素地の合板を貼着してなる中央パネルと、その周囲に、前記中央パネルの下面との間に段差を形成する状態に連結された側方パネルとで構成され、前記側方パネルは、木軸の下面に化粧合板を貼着し、且つ、中央パネル側の端面に化粧仕上げを施して構成され、前記折上げ部は、木軸の片面に化粧合板を貼着してなる折上げ部パネルを前記化粧合板が開口内面側に位置するように連結することによって構成され、前記目隠し部は、木軸の上面に化粧合板を、下面には素地の合板を夫々貼着し、開口内面側の端面に素地の立ち上がり縁材を、その下面が前記合板の下面と面一になるように連設してなる目隠しパネルを連結することによって構成され、前記折上げ天井部には、前記中央パネルの下面に仕上げクロスが貼着され、前記目隠し部には、前記合板の下面に仕上げクロスが前記立ち上がり縁材を少なくとも上面まで被覆する状態に貼着されていることを特徴としている。
【０００７】
請求項２の発明に係る折上げ天井は、方形の折上げ天井部と、その周囲四辺から下方へ折曲連設された方形筒状の折上げ部と、その下辺から内側へ折曲連設された方形枠状の目隠し部とを備え、前記折上げ天井部は、木軸の両面に素地の合板を貼着してなる中央パネルと、その周囲四辺に、前記中央パネルの下面との間に段差を形成する状態に連結された側方パネルとで構成され、前記側方パネルは、木軸の下面に化粧合板を貼着し、且つ、中央パネル側の端面に化粧仕上げを施して構成され、前記折上げ部は、木軸の片面に化粧合板を貼着してなる折上げ部パネルを前記化粧合板が開口内面側に位置するように方形に連結することによって構成され、前記目隠し部は、木軸の上面に化粧合板を、下面には素地の合板を夫々貼着し、開口内面側の端面に素地の立ち上がり縁材を、その下面が前記合板の下面と面一になるように連設してなる目隠しパネルを方形に連結することによって構成され、前記折上げ天井部には、前記中央パネルの下面に仕上げクロスが貼着され、前記目隠し部には、前記合板の下面に仕上げクロスが前記立ち上がり縁材を少なくとも上面まで被覆する状態に貼着されていることを特徴としている。
【０００８】
請求項３の発明に係る折上げ天井の施工方法は、方形の折上げ天井部と、その周囲四辺から下方へ折曲連設された方形筒状の折上げ部と、その下辺から内側へ折曲連設された方形枠状の目隠し部とを備え、前記折上げ天井部は、木軸の両面に素地の合板を貼着してなる中央パネルと、その周囲四辺に、前記中央パネルの下面との間に段差を形成する状態に連結された４枚の側方パネルとで構成され、前記側方パネルは、木軸の下面に化粧合板を貼着し、且つ、中央パネル側の端面に化粧仕上げを施して構成され、前記折上げ部は、木軸の片面に化粧合板を貼着してなる４枚の折上げ部パネルを前記化粧合板が開口内面側に位置するように方形に連結することによって構成され、前記目隠し部は、木軸の上面に化粧合板を、下面には素地の合板を夫々貼着し、開口内面側の端面に素地の立ち上がり縁材を、その下面が前記合板の下面と面一になるように連設してなる４枚の目隠しパネルを方形に連結することによって構成されている折上げ天井ユニットを予め低位置で組み立て、当該折上げ天井ユニットを所定高さまで揚上して、建物のスラブ下面に吊りボルトを介して固定し、しかる後、折上げ天井ユニット周囲の天井板を施工し、前記折上げ天井部には、前記中央パネルの下面に仕上げクロスを貼着する一方、前記天井板の下面と前記目隠し部の前記合板の下面とにわたって仕上げクロスを前記立ち上がり縁材が少なくとも上面まで被覆される状態に貼着することを特徴としている。
【０００９】
請求項１〜３に記載の発明によれば、目隠し部の奥に入り込んだ部位、つまり、折上げ天井部における側方パネルの下面、目隠し部における目隠しパネルの上面、折上げ部における折上げ部パネルの内面の夫々が化粧合板で形成されているため、これらの部位に対する仕上げクロスの貼着は不要である。
【００１０】
折上げ天井部に対する仕上げクロスの貼着は、側方パネルとの間の段差で囲まれた中央パネルに対して行うだけであるから、目隠し部が貼着作業の邪魔にならず、また、段差の存在により、中央パネルに貼り付ける仕上げクロスの端縁の納まりが良く、しかも、段差には、予め、化粧仕上げが施されているため、この部位へのクロス貼は不要であり、これらの結果として、容易に貼り際をきれいに仕上げることができる。
【００１１】
また、目隠し部における目隠しパネル下面には、立ち上がり縁材を被覆する状態に仕上げクロスを貼着するから、目隠しパネル下面に貼着した仕上げクロスの端縁が室内から見えず、きれいな仕上がりとなる。
【００１２】
また、請求項３に記載の発明によれば、折上げ天井ユニットを予め低位置で組み立てておき、これを建物のスラブ下面に吊りボルトを介して固定するようにしたので、組立作業を容易かつ安全に行え、複雑な天井木軸構造も不要で、施工が容易である。
【００１３】
【発明の実施の形態】
図１は、本発明に係る折上げ天井の一例を示す。この折上げ天井は、図２〜図５に示すような折上げ天井ユニットＡを用いて施工されたもので、方形の折上げ天井部Ｂと、その周囲四辺から下方へ折曲連設された方形筒状の折上げ部Ｃと、その下辺から内側へ折曲連設された方形枠状の目隠し部Ｄとを備えており、目隠し部Ｄの上部には、間接照明用の照明器具１が設置されている。折上げ天井の周囲には、野縁２、天井板３、仕上げクロス４等で構成された天井Ｅが折上げ天井の目隠し部Ｄと面一状に設けられている。
【００１４】
前記折上げ天井部Ｂは、図１、図３に示すように、木軸５の両面に素地の合板６を貼着してなる薄い中央パネル７と、その周囲四辺に、前記中央パネル７の下面との間に適当な段差（例えば１０ｍｍ程度）Ｈを形成する状態に連結された４枚の厚い側方パネル８とで構成され、前記側方パネル８は、木軸９の下面に、光の反射率が高く且つ仕上げクロス４と同系統の色（例えば、白色やベージュ）の化粧合板１０を貼着し、且つ、中央パネル７側の端面に化粧仕上げを施して構成されている。この化粧仕上げは、化粧合板１０と同じ色に塗装することによって行ってもよいが、図示の例では、化粧合板１０と同じ色（例えば、白色やベージュ）のテープ１１を貼着することによって行っている。
【００１５】
尚、図示の例では、前記中央パネル７が、図３に示すように、矩形状をなす２枚の単位パネルを面一状に接合して構成されているが、折上げ天井の平面寸法によっては、１枚ものであってもよく、３枚以上を接合して構成したものであってもよい。
【００１６】
前記折上げ部Ｃは、図１、図２に示すように、木軸１２の片面に前記化粧合板１０と同じ色（例えば、白色やベージュ）の化粧合板１３を貼着してなる４枚の折上げ部パネル１４を前記化粧合板１３が開口Ｆ内面側に位置するように方形に連結することによって構成されている。
【００１７】
前記目隠し部Ｄは、図１、図２に示すように、木軸１５の上面に前記化粧合板１０と同じ色（例えば、白色やベージュ）の化粧合板１６を、下面には素地の合板１７を夫々貼着し、開口Ｆ内面側の端面に、上下幅が木軸１５、化粧合板１６、合板１７の厚さの合計よりも広い角材からなる素地の立ち上がり縁材１８を、その下面が前記合板１７の下面と面一になるように連設してなる４枚の目隠しパネル１９を方形に連結することによって構成されている。
【００１８】
前記折上げ天井部Ｂには、図１に示すように、前記中央パネル７の下面に、光の反射率が高く且つ仕上げクロス４と同系統の色（例えば、白色やベージュ）の仕上げクロス２０が貼着され、前記目隠し部Ｄには、前記合板１７の下面に、前記仕上げクロス４が前記立ち上がり縁材１８を少なくとも上面まで、好ましくは、図示のとおり、全体を被覆する状態に貼着されている。
【００１９】
図１において、２１は折上げ天井ユニットＡを建物のスラブ２２下面に固定する吊りボルトであり、スラブ２２に埋設したインサート金物２３にねじ込まれている。吊りボルト２１は折上げ天井ユニットＡの側面に取り付けたＬ型金物２４を貫通しており、Ｌ型金物２４は吊りボルト２１に螺合したナット２５で支持されている。２６は中央パネル７に形成した火災感知器用の孔である。図示しないが、折上げ部パネル１４には、照明器具１に対する電気配線用の貫通孔が形成されている。また、中央パネル７の接合、中央パネル７と側方パネル８の接合、側方パネル８と折上げ部パネル１４との連結、折上げ部パネル１４や目隠しパネル１９の連結、折上げ部パネル１４と目隠しパネル１９との連結には、接着剤、ダボ接合と接着剤との併用、ビス止め、並びに、それらの併用など、既知の任意の接合手段を採用できる。
【００２０】
上記の折上げ天井の施工方法について説明すると、先ず、折上げ天井ユニットＡを予め低位置で組み立て、当該折上げ天井ユニットAを所定高さまで揚上して、建物のスラブ２２下面に吊りボルト２１を介して固定し、次に、折上げ天井ユニットＡ周囲の天井板３を施工し、しかる後、前記中央パネル７の下面に仕上げクロス２０を貼着する一方、前記天井板３の下面と前記目隠し部Ｄの前記合板１７の下面とにわたって仕上げクロス４を前記立ち上がり縁材１８が被覆される状態に貼着することによって施工される。
【００２１】
具体的には、予め工場生産された中央パネル７、側方パネル８、折上げ部パネル１４、目隠しパネル１９を建築現場に搬入し、床上での作業により、図２、図４に示すように、折上げ部Ｃおよび目隠し部Ｄを組み立て、両者Ｃ，Ｄを連結する一方、図３に示すように、折上げ天井部Ｂを組み立て、図４、図５に示すように、折上げ天井部Ｂと折上げ部Ｃを連結して、折上げ天井ユニットＡの組立を完了する。
【００２２】
一方、スラブ２２のインサート金物２３に吊りボルト２１をねじ込むと共に、インサート金物２３の位置に合わせて前記折上げ天井ユニットＡにマーキングし、マーキングに合わせてＬ型金物２４を折上げ天井ユニットＡに取り付ける。
【００２３】
しかる後、折上げ天井ユニットＡを水圧利用の手動式ジャッキ２７の架台２８に載置し、ジャッキレバー２９を操作して、折上げ天井ユニットＡを揚重し、全部の吊りボルト２１をＬ型金物２４の孔に通す。吊りボルト２１が孔に通ったら、吊りボルト２１にナット２５を螺着し、レベル調整を行う。
【００２４】
次に、折上げ天井ユニットＡ周囲の天井板３を施工し、折上げ天井部Ｂの中央パネルに７仕上げクロス２０を貼着する一方、前記天井板３の下面と前記目隠し部Ｄの前記合板１７の下面とにわたって仕上げクロス４を前記立ち上がり縁材１８が少なくとも上面まで被覆される状態に貼着する。尚、照明器具１の設置は、最後に行われるが、仕上げクロス４，２０の貼着に先立って行ってもよい。
【００２５】
上記の構成によれば、折上げ天井ユニットＡを予め低位置で組み立てておき、これを建物のスラブ２２下面に吊りボルト２１を介して固定するようにしたので、組立作業を容易かつ安全に行え、複雑な天井木軸構造も不要で、施工が容易である。
【００２６】
殊に、目隠し部Ｄの奥に入り込んだ部位、つまり、折上げ天井部Ｂにおける側方パネル８の下面、目隠し部Ｄにおける目隠しパネル１９の上面、折上げ部Ｃにおける折上げ部パネル１４の内面の夫々が化粧合板１０，１３，１６で形成されているため、これらの部位に対する仕上げクロスの貼着は不要である。
【００２７】
折上げ天井部Ｂ対する仕上げクロス２０の貼着は、側方パネル８との間の段差Ｈで囲まれた中央パネル７に対して行うだけであるから、開口Ｆ内方に突出している目隠し部Ｄが貼着作業の邪魔にならず、また、段差Ｈの存在により、中央パネル７に貼り付ける仕上げクロス２０の端縁の納まりが良く、しかも、段差Ｈには、予め、テープ１１等による化粧仕上げが施されているため、この部位へのクロス貼は不要であり、これらの結果として、容易に貼り際をきれいに仕上げることができる。
【００２８】
また、目隠し部Ｄにおける目隠しパネル１９下面には、立ち上がり縁材１８を被覆する状態に仕上げクロス４を貼着するから、目隠しパネル１９下面に貼着した仕上げクロス４の端縁が室内から見えず、きれいな仕上がりとなる。
【００２９】
尚、上述した実施の形態では、方形の折上げ天井を例にとって本発明を説明したが、本発明は、円形の折上げ天井や、六角形、八角形等の多角形の折上げ天井についても、同様に実施できる。例えば、六角形の折上げ天井の場合、中央パネル７は、六角形の半割り形状の単位パネルを２枚接合して構成し、側方パネル８、立ち上がり縁材１８、目隠しパネル１９は、６ピース用意することになる。また、上述した実施の形態では、間接照明付きの折上げ天井を例にとって本発明を説明したが、本発明は、間接照明用の照明器具を設けない目隠し部付きの折上げ天井として実施することも可能である。
【００３０】
【発明の効果】
本発明は、上述した構成よりなるため、目隠し部の存在にもかかわらず、仕上げクロスの貼着作業を容易に行える等の効果がある。
【図面の簡単な説明】
【図１】本発明に係る折上げ天井の断面図である。
【図２】上記折上げ天井の施工方法の説明図である。
【図３】上記折上げ天井の施工方法の説明図である。
【図４】上記折上げ天井の施工方法の説明図である。
【図５】上記折上げ天井の施工方法の説明図である。
【図６】上記折上げ天井の施工方法の説明図である。
【符号の説明】
Ａ…折上げ天井ユニット、Ｂ…折上げ天井部、Ｃ…折上げ部、Ｄ…目隠し部、Ｆ…開口、１…照明器具、４，２０…仕上げクロス，５，９，１２，１５…木軸、６，１７…合板、７…中央パネル、８…側方パネル、１０，１３，１６…化粧合板、１８…立ち上がり縁材、１９…目隠しパネル。
【図１】
0004418068.tif 000002
【図２】
0004418068.tif 000003
【図３】
0004418068.tif 000004
【図４】
0004418068.tif 000005
【図５】
0004418068.tif 000006
【図６】
0004418068.tif 000007